【手続補正書】
【提出日】平成18年6月22日(2006.6.22)
【手続補正１】
【補正対象書類名】特許請求の範囲
【補正対象項目名】請求項４
【補正方法】変更
【補正の内容】
【請求項４】
前記回転体を実質的に軸支する動圧式すべり軸受のいずれかと前記環状禁止帯とに前記中心軸に沿った方向に挟まれた位置における前記固定体の部分に、前記環状禁止帯を構成する互いに対向する表面間の隙間寸法よりも大きな寸法の開口幅を有する開口部とこの開口部の開口幅寸法よりも大きな寸法の深さを有する環状深溝が前記環状禁止帯に隣接して設けられたことを特徴とする請求項３に記載した回転陽極型Ｘ線管。
【手続補正２】
【補正対象書類名】特許請求の範囲
【補正対象項目名】請求項５
【補正方法】変更
【補正の内容】
【請求項５】
前記補助的なラジアル軸受用又は前記補助的なスラスト軸受用のらせん溝が設けられた領域における前記固定体の表面部分とこの表面部分に隙間を有して対向した前記回転体の表面部分とで挟まれてできる隙間部分の容積は、前記環状禁止帯を構成する前記固定体の表面部分とこれに隙間を有して対向する前記回転体の表面部分とで挟まれてできる隙間部分の容積よりも大きいことを特徴とする請求項３又は請求項４に記載した回転陽極型Ｘ線管。
【手続補正３】
【補正対象書類名】特許請求の範囲
【補正対象項目名】請求項９
【補正方法】変更
【補正の内容】
【請求項９】
前記第３のラジアル軸受よりも前記端部開口に近い位置に、前記固定体の外表面部分及びこれと微小な隙間を保って対向する前記回転体の内表面部分の直径が前記第３のラジアル軸受の表面部分の直径より小さくなっている径小部分が設けられており、前記帰還手段は、前記回転体の径小部分の内面部分と前記第３のラジアル軸受の軸受隙間の近傍とに開口しており液体金属潤滑剤が通過できる帰還孔を含んでいることを特徴とする請求項８に記載した回転陽極型Ｘ線管。
【手続補正４】
【補正対象書類名】明細書
【補正対象項目名】００１５
【補正方法】変更
【補正の内容】
【００１５】
上記のような軸受構造では、軸受部分で気体の分離が容易に行えるが、前記端部開口に近い位置に多量の液体金属潤滑剤を内蔵した環状リザーバが設けられているので、ここからの液体金属潤滑剤の漏出を防止する必要がある。これは、以下のようにして達成されている。前記回転体の終端部には真空空間に通じる端部開口がある。この端部開口に最も近い位置にある環状リザーバよりも前記端部開口に向う側に、表面張力で液体金属潤滑剤の通過を阻止する環状禁止帯が設けられている。この環状禁止帯よりも更に前記端部開口に向う側に補助的なすべり軸受が設けられている。環状禁止帯は、回転体と固定体の間で微小な隙間を保って対向しており液体金属潤滑剤で濡れない一対の面から成っている。前記補助的なすべり軸受は、回転体と固定体の間で微小な隙間を保って対向しており液体金属潤滑剤で濡れた一対の表面と、少なくとも一方の表面に設けられたらせん溝と、この中に存在する液体金属潤滑剤から成り立っている。この液体金属潤滑剤は前記環状リザーバを含む他の部分にある液体金属潤滑剤とは前記環状禁止帯で通常は分離されている。回転体が静止しているときに、回転機構内の前記空間の圧力がある程度高くなると、この分離された液体金属潤滑剤を外方向に押しやり、このときに液体金属潤滑剤の環の一部分が切断されて前記の空間と外部空間とを結ぶ気体通路が臨時に生じて外部に気体が排出される。この場合、補助的なすべり軸受内に在る液体金属潤滑剤は量が少ないのでこの軸受の外部にはみ出すことは無い。
【手続補正５】
【補正対象書類名】明細書
【補正対象項目名】００２０
【補正方法】変更
【補正の内容】
【００２０】
本発明の一つは、前記回転体を実質的に軸支する動圧式すべり軸受のいずれかと前記環状禁止帯とに前記中心軸に沿った方向に挟まれた位置における前記固定体の部分に、前記環状禁止帯を構成する互いに対向する表面間の隙間寸法よりも大きな寸法の開口幅を有する開口部とこの開口部の開口幅寸法よりも大きな寸法の深さを有する環状深溝が前記環状禁止帯に隣接して設けられたことを特徴とする上記いずれかの発明に係わる回転陽極型Ｘ線管である。この回転陽極型Ｘ線管では、前記環状深溝は、前記回転体を実質的に軸支する動圧式すべり軸受内に液体金属潤滑剤を供給するとともに、液体金属潤滑剤に混在する気体を分離するのに役立っている。前記環状深溝内には液体金属潤滑剤で満たされていない空間があり、この部分に気体が溜まるとこの気体は前記環状禁止帯を通過して前記補助的なラジアル軸受又は前記補助的なスラスト軸受内に溜まっている少量の液体金属潤滑剤でできた壁が破られて、この気体が外部に排気される。前記のように、前記環状深溝は環状リザーバを構成しており、回転機構の内部にある他の環状リザーバと前記多数の潤滑剤通路で連結されており、前記補助的なラジアル軸受又は前記補助的なスラスト軸受から前記環状禁止帯を通過して前記環状深溝に戻された液体金属潤滑剤は、回転機構の内部にある、前記回転体を実質的に軸支する動圧式すべり軸受のいずれにも到達できるようになっている。換言すると、前記補助的なラジアル軸受又は前記補助的なスラスト軸受から前記回転体を実質的に軸支する動圧式すべり軸受のいずれにも至る液体金属潤滑剤の可逆的な通路が構成されていることになる。
【手続補正６】
【補正対象書類名】明細書
【補正対象項目名】００２１
【補正方法】変更
【補正の内容】
【００２１】
本発明の一つは、前記補助的なラジアル軸受用又は前記補助的なスラスト軸受用のらせん溝が設けられた領域に於ける前記固定体の表面部分とこの表面部分に隙間を有して対向した前記回転体の表面部分とで挟まれてできる隙間部分の容積は、前記環状禁止帯を構成する前記固定体の表面部分とこれに隙間を有して対向する前記回転体の表面部分とで挟まれてできる隙間部分の容積よりも大きいことを特徴とする上記いずれかの発明に係わる回転陽極型Ｘ線管である。この回転陽極型Ｘ線管では、前記環状禁止帯の両側から液体金属潤滑剤に圧力がかかり、前記環状禁止帯に液体金属潤滑剤が満たされた後に液体金属潤滑剤に印加される圧力が低下してこの中の液体金属潤滑剤の全てが前記補助的なラジアル軸受内又は前記補助的なスラスト軸受内に移動した場合でもこれらの補助的な軸受からはみ出すことが無く、液体金属潤滑剤の漏出がより確実に防止できる。
【手続補正７】
【補正対象書類名】明細書
【補正対象項目名】００２５
【補正方法】変更
【補正の内容】
【００２５】
本発明の一つは、前記第３のラジアル軸受よりも前記端部開口に近い位置に、前記固定体の外表面部分及びこれと微小な隙間を保って対向する前記回転体の内表面部分の直径が前記第３のラジアル軸受の表面部分の直径より小さくなっている径小部分が設けられており、前記帰還手段は、前記回転体の径小部分の内面部分と前記第３のラジアル軸受の軸受隙間の近傍とに開口しており液体金属潤滑剤が通過できる帰還孔を含んでいることを特徴とする上記の発明に係わる回転陽極型Ｘ線管である。この回転陽極型Ｘ線管では、簡単な構造で前記帰還手段が実現されている。
【手続補正８】
【補正対象書類名】明細書
【補正対象項目名】００８１
【補正方法】変更
【補正の内容】
【００８１】
予期し得ない理由により液体金属潤滑剤ＬＭが第３のラジアル軸受ＢＲ３を通過して回転体隅部２８ｂと回転体径小隅部を経由して分離環状溝２８ａに到達した場合には、この液体金属潤滑剤ＬＭは回転体２０の回転時の遠心力で分離環状溝２８ａの内面に押し付けられる。押し付けられた液体金属潤滑剤ＬＭは、分離環状溝２８ａと回転体隅部２８ｂに開口した多数の穴でできた帰還孔２８ｃ内に前記遠心力で押しやられて回転体隅部２８ｂに押し戻され、その量がある程度以上に達した場合には、近傍にある第３のラジアル軸受ＢＲ３によって前記のように環状深溝ＤＲ３内に戻される。帰還孔２８ｃは液体金属潤滑剤ＬＭで濡れない内面から成る多数の小孔で構成されており、通常は液体金属潤滑剤ＬＭが入らないようになっており、強い遠心力を受けた場合のみ移動できるようになっている。従って、液体金属潤滑剤ＬＭは帰還孔２８ｃ内を一方通行することになる。帰還孔２８ｃは分離環状溝２８ａの中心軸Ｃ−Ｃ’に沿った方向での異なる位置にも前記と同様に設けられており、液体金属潤滑剤ＬＭが上記のように帰還される確率が極めて高くなっている。
【手続補正９】
【補正対象書類名】明細書
【補正対象項目名】００８３
【補正方法】変更
【補正の内容】
【００８３】
図６を参照して他の実施例について説明する。図６において図１乃至図５に相当する部分には同じ番号を付している。本実施例では、真空容器１を貫通して設けられた固定体３０に微小な軸受隙間を保って同軸的に概略円筒状の回転体２０が取り付けられておりそのほぼ中央部に位置してＸ線ターゲット３が取り付けられている。Ｘ線ターゲット３の両側に液体金属を潤滑剤とする動圧式すべり軸受からなる第１及び第２のラジアル軸受ＢＲ１，ＢＲ２が設けられており、これらの構造及び作用は他の実施例と同様であるので説明を省略する。第１及び第２のラジアル軸受はそれぞれ２個の環状深溝で挟まれており、これらはそれぞれの潤滑剤通路ＲＲ１，ＲＲ２で他の実施例と同様に結合されている。回転体２０及び固定体３０の図示上端部及び図示下端部にはそれぞれの前記端部開口があり、これらの部分には図１から図５に示す第３のラジアル軸受ＢＲ３及び回転環状体２８と同様のものが設けられておりそれぞれ前述のように作用する。この実施例では、図示上下に前記端部開口があるために、固定体３０の中央部に位置する環状深溝ＤＲ２と環状深溝ＤＲ３とを連結する潤滑剤通路は省略しているがこれらを設ける方が好ましい。また、気体通路も省略している。固定体３０は真空容器１を貫通して設けてあるので図示しない冷却媒体通路を、固定体３０を貫通して設けることができる。この実施例では他の実施例よりも大きな外力を受ける場合に適している。実施例１はいわゆる中性点接地方式の電源に適合しているが、この実施例はいわゆる陽極接地方式の電源に適合している。